(57)【要約】      （修正有）【課題】設置が簡単で、どのような方向からの揺れがあっても支持脚が外れない支持脚用固定具を提供する。【解決手段】台座部と、台座部が先端に設けられた軸部とを有する支持脚を固定するもので、上側平坦面１１１とこれに直交して連設された上側垂直面１１２とが一体に形成された上側アングル１１０と、下側平坦面１２１とこれに直交して連設された下側垂直面１２２とが一体に形成された下側アングル１２０と、両アングル１１０、１２０を連結する連結手段１３０と、下側平坦面１２１と床面との間に介在されるシート状の粘着素材１４０とを備え、上側平坦面１１１には、軸部が入り込む切込溝１１３が形成され、切込溝１１３は１つの屈曲部１１３Ａを有する略Ｌ字形状に形成され、両アングル１１０、１２０が連結された状態で、軸部が切込溝１１３に入り込み、台座部が下側平坦面１２１に接する状態で支持脚を固定する。【選択図】図１
2015018030.tif 000002
【特許請求の範囲】
【請求項１】
台座部と、この台座部が先端に設けられた軸部とを有する支持脚を固定する支持脚用固定具において、上側平坦面とこれに直交して連設された上側垂直面とが一体に形成された側面視略Ｌ字形状の上側アングルと、下側平坦面とこれに直交して連設された下側垂直面とが一体に形成された側面視略逆Ｌ字形状の下側アングルと、両アングルを連結する連結手段と、前記下側アングルの下側平坦面と床面との間に介在されるシート状の粘着素材とを具備しており、前記上側アングルの上側平坦面には、前記軸部が入り込む切込溝が形成されており、前記切込溝は少なくとも１つの屈曲部又は湾曲部を有しており、両アングルが連結された状態で、前記軸部が切込溝に入り込み、前記台座部が前記下側アングルの下側平坦面に載った状態で支持脚を固定することを特徴とする支持脚用固定具。
【請求項２】
前記連結手段は、上側アングルの上側垂直面に開設された縦長の長孔又は雄ねじ孔と、下側アングルの下側垂直面に開設された雌ねじ孔又は縦長の長孔と、前記雌ねじ孔に螺合する雄ねじとを有していることを特徴とする請求項１記載の支持脚用固定具。
【発明の詳細な説明】
【技術分野】
【０００１】
本発明は、例えばコピー機等のＯＡ機器等を床面に固定し、地震等の揺れがあってもコピー機等が不用意に動かないようにする支持脚用固定具に関する。
【背景技術】
【０００２】
この種の支持脚用固定具としては、特許第５１０７３１１号公報（特許文献１）に記載されたものがある。これは、『床面に接する幅広の台座と台座から垂直に起立して装置を支持する垂直軸からなる支持脚を備えた装置における支持脚を固定することにより装置を固定する固定具であって、該固定具は、底板と、底板の上面に取着された上板と、底板の底面に貼着された両面粘着性を有する粘着マットとからなり、底板は、支持脚の台座が挿入可能な台座開口部を有する台座挿入部を有し、上板は、支持脚の垂直軸が挿入可能な垂直軸開口部を有する垂直軸挿入部を有し、台座開口部と垂直軸開口部とを同方向に開口させることにより固定具に支持脚が挿入可能とし、垂直軸挿入部に支持脚が当接し、底板の底面の粘着マットが床面に貼着されることにより支持脚が固定されること特徴とする固定具。』である。
【０００３】
【特許文献１】特許第５１０７３１１号公報
【発明の開示】
【発明が解決しようとする課題】
【０００４】
しかしなから、この固定具は、支持脚の垂直軸が挿入される垂直軸挿入部が、真っ直ぐに形成されているため、地震によって垂直軸挿入部の開口方向に沿った揺れが加わった場合には、装置の移動を阻止することができないという問題点がある。
【０００５】
本発明は、上記事情に鑑みて創案されたもので、設置が簡単で、どのような方向からの揺れがあっても支持脚が外れたり、それに起因するコピー機等の不用意な動きが発生しないようにする支持脚用固定具を提供することを目的としている。
【課題を解決するための手段】
【０００６】
本発明に係る支持脚用固定具は、台座部と、この台座部が先端に設けられた軸部とを有する支持脚を固定するものであって、上側平坦面とこれに直交して連設された上側垂直面とが一体に形成された側面視略Ｌ字形状の上側アングルと、下側平坦面とこれに直交して連設された下側垂直面とが一体に形成された側面視略逆Ｌ字形状の下側アングルと、両アングルを連結する連結手段と、前記下側アングルの下側平坦面と床面との間に介在されるシート状の粘着素材とを備えており、前記上側アングルの上側平坦面には、前記軸部が入り込む切込溝が形成されており、前記切込溝は少なくとも１つの屈曲部又は湾曲部を有しており、両アングルが連結された状態で、前記軸部が切込溝に入り込み、前記台座部が前記下側アングルの下側平坦面に載った状態で支持脚を固定するようになっている。
【発明の効果】
【０００７】
本発明に係る支持脚用固定具は、台座部を下側アングルの下側平坦面に載せ、軸部を上側アングルの上側平坦面の少なくとも１つの屈曲部又は湾曲部を有する切込溝に入れ込むようにしているので、地震等の揺れがあっても支持脚が外れたり、それに起因するコピー機等の不用意な動きが発生しない。
【図面の簡単な説明】
【０００８】
【図１】本発明の実施の形態に係る支持脚用固定具の概略的分解斜視図である。
【図２】本発明の実施の形態に係る変形例の支持脚用固定具の概略的分解斜視図である。
【図３】本発明の実施の形態に係る支持脚用固定具によって支持脚が固定された状態を示す概略的説明図である。
【発明を実施するための形態】
【０００９】
本発明の実施の形態に係る支持脚用固定具１００は、台座部５２０と、この台座部５２０が先端に設けられた軸部５１０とを有する支持脚５００を固定するものであって、上側平坦面１１１とこれに直交して連設された上側垂直面１１２とが一体に形成された側面視略Ｌ字形状の上側アングル１１０と、下側平坦面１２１とこれに直交して連設された下側垂直面１２２とが一体に形成された側面視略逆Ｌ字形状の下側アングル１２０と、両アングル１１０、１２０を連結する連結手段１３０と、前記下側アングル１２０の下側平坦面１２１と床面Ｆとの間に介在されるシート状の粘着素材１４０とを備えており、前記上側アングル１１０の上側平坦面１１１には、前記軸部５１０が入り込む切込溝１１３が形成されており、前記切込溝１１３は１つの屈曲部１１３Ａを有する略Ｌ字形状に形成されており、両アングル１１０、１２０が連結された状態で、前記軸部５１０が切込溝１１３に入り込み、前記台座部５２０が前記下側アングル１２０の下側平坦面１２１に接する状態で支持脚５００を固定するようになっている。
【００１０】
まず、この支持脚用固定具１００の説明の前に、図３を参照しつつ、支持脚５００について説明する。
この支持脚５００は、例えばコピー機などのいわるＯＡ機器に使われている。軸部５１０は、機器本体５３０の底面部５４０の四隅から突出している。この軸部５１０は雄ねじ構造になっており、中心に雌ねじが形成された円盤状の台座部５２０が螺合するようになっている。ねじ構造になっているのは機器本体の水平を出すためである。
なお、台座部５２０は図示したようなものだけでなく、いわゆるキャースターをも含んだ概念である。
【００１１】
支持脚用固定具１００を構成する下側アングル１２０は、金属板を折曲形成したものであって、長方形状の下側平坦面１２１と、この下側平坦面１２１の長辺部から直交して連設された下側垂直面１２２とが一体になっており、側面視略Ｌ字形状になっている。
この下側アングル１２０の下側平坦面１２１の裏面側にはシート状の粘着素材１４０が取り付けられている。
また、前記下側垂直面１２２には、２つの雌ねじ孔１２３が開設されている。
【００１２】
前記シート状の粘着素材１４０は、高い反発弾性を有し、振動吸収性に優れたウレタンエラストマーをシート状に形成したものである。このシート状の粘着素材１４０は、両面粘着性であって、一方の面の粘着性により下側平坦面１２１の裏面に貼着されている。そして、他方の面の粘着性により床面Ｆに貼着されるのである。
この種のシート状の粘着素材１４０としては、プロセブン株式会社製の「プロセブン耐震マットがある。このシート状の粘着素材１４０は、引き剥がそうとする力が急激に加わると、強い粘着性を発揮するものである。逆に、このシート状の粘着素材１４０は、引き剥がそうとする力がゆっくりと加わった場合には徐々に剥がれる。
なお、このシート状の粘着素材１４０は、下側アングル１２０の下側平坦面１２１と同じサイズに設定されている。
【００１３】
一方、前記上側アングル１１０は、金属板を折曲形成したものであって、長方形状の上側平坦面１１１と、この上側平坦面１１１の長辺部から直交して連設された上側垂直面１１２とが一体になっており、側面視略Ｌ字形状になっている。
この上側アングル１１０の上側平坦面１１１には、開放された長辺、すなわち上側垂直面１１２が形成されていない側の長辺から内側に向かって略Ｌ字形状の切込溝１１３が形成されている。この切込溝１１３は、開放された長辺の中央部から奥側に向かい、屈曲部１１３Ａにおいて直角に曲がって形成されている。この切込溝１１３の幅寸法は、固定すべき支持脚５００の軸部５１０の太さ寸法より若干大きく設定されている。この切込溝１１３は、軸部５１０が入るべき部分だからである。
【００１４】
また、この上側アングル１１０の上側垂直面１１２には、２つの縦長の長孔１１４が開設されている。この長孔１１４は、前記下側垂直面１２２の雌ねじ孔１２３に対応したものである。従って、下側垂直面１１２と上側垂直面１１２とを重ね合わせ、長孔１１４を雌ねじ孔１２３に対応させ、上側垂直面１１２側から雄ねじ１５０を雌ねじ孔１２３に螺合させると、上側アングル１１０と下側アングル１２０とを連結させることができる。
【００１５】
この雄ねじ１５０、前記長孔１１４及び雌ねじ孔１２３で、上側アングル１１０と下側アングル１２０とを連結させる連結手段１３０を構成しているのである。
この連結手段１３０で上側アングル１１０と下側アングル１２０とを連結すると、上側平坦面１１１と下側平坦面１２１とは平行になる。
この連結手段１３０は、上側垂直面１１２の縦長の長孔１１４を有しているので、上側平坦面１１１と下側平坦面１２１との間の距離を容易に変更することができる。すなわち、この連結手段１３０は、上側平坦面１１１と下側平坦面１２１との間の距離を固定すべき支持脚５００の長さ寸法に対応させることができるのである。
【００１６】
このように構成された支持脚用固定具１００による支持脚５００の固定手順について説明する。
まず、固定設置したいコピー機等の支持脚５００の台座部５２０が接触する部分に下側アングル１２０を取り付ける。下側アングル１２０の下側平坦面１２１の裏面側のシート状の粘着素材４００で下側アングル１１０を固定する。
【００１７】
次に、上側アングル１１０を連結手段によって下側アングル１２０に連結する。この際、図３に示すように、支持脚５００の台座部５２０が下側アングル１２０の下側平坦面１２１の上に載った状態で、上側アングル１１０の上側平坦面１１１がコピー機等の機器本体５３０の底面部５４０に接触する高さに調整しておく。
【００１８】
この状態で、支持脚５００の軸部５１０を上側アングル１１０の上側平坦面１１１の切込溝１１３に入れるとともに、支持脚５００の台座部５２０を下側アングル１２０の下側平坦面１２１に載せる。
この際、軸部５１０は、略Ｌ字形状に形成されている切込溝１１３の最も奥側の図１に示す終末点１１３Ｂまで入れ込まれる。
【００１９】
この支持脚用固定具１００は、機器本体５３０のすべての支持脚５００を固定することが最も好ましいが、少なくとも複数本存在する支持脚５００のうち対角線上にある２本の支持脚５００を固定すれば地震等の揺れによる機器本体５３０の不用意な移動を防止することができる。
【００２０】
地震等によって機器本体５００が揺れたとしても、支持脚５００の軸部５１０が支持脚用固定具１００の略Ｌ字形状の切込溝１１３に入り込んでいるため、切込溝１１３から支持脚５００が抜け出してしまうおそれは極めて少ない。すなわち、地震等があっても、この支持脚用固定具１００は、固定しているコピー機等の揺れによる不用意な動きを未然に防止するため、減災に大いに貢献することができる。
【００２１】
コピー機等を移動させる場合には、支持脚用固定具１００の連結手段１３０による上側アングル１１０と下側アングル１２０との連結状態を解除し、支持脚５００の軸部５１０を切込溝１１３から外す。コピー機等自体が床面Ｆに固定されているのではないので、これだけでコピー機等の移動が可能になる。
【００２２】
一方、支持脚用固定具１００の下側アングル１２０も床面Ｆにねじ等で固定されているのではなく、単にシート状の粘着素材１４０の粘着性により床面Ｆに貼着されるだけなので、下側アングル１２０も簡単に移動、交換等することができる。
【００２３】
上述した実施の形態に係る支持脚用固定具１００における切込溝１１３は屈曲部１１３Ａが直角な略Ｌ字形状に形成されていたが、本発明がこれに限定されるわけでなはい。例えば、切込溝の形状としてＵ字形状、Ｖ字形状、Ｊ字形状も該当する。
【００２４】
また、上述した実施の形態に係る支持脚用固定具１００では、連結手段１３０を構成する長孔１１４が上側アングル１１０の上側垂直面１１２に、雌ねじ孔１２３が下側アングル１２０の下側垂直面１２２にそれぞれ形成されていたが、本発明がこれに限定されるわけではない。例えば、図２に示す支持脚用固定具１００の変形例である支持脚用固定具２００では、２つの雌ねじ孔２１４を上側アングル２１０の上側垂直面２１２に、２つの長孔２２３を下側アングル２２０の下側垂直面２２２にそれぞれ形成しておくことも可能である。
【００２５】
すなわち、この支持脚用固定具２００では、連結手段２３０は、上側アングル２１０の雄ねじ孔２１４と、下側アングル２２０の長孔２２３と、雄ねじ２５０とで構成されるのである。
このような支持脚用固定具２００の場合、雄ねじ２５０は、長孔２２３が設けられた下側アングル２２０側から雌ねじ部２１４に螺合される。
【００２６】
なお、図２に示す形支持脚用固定具２００では、上側アングル２１０の上側平坦面２１１が略台形状に形成されているが、この上側平坦面２１１は、少なくとも１つの屈曲部２１３Ａを有する切込溝２１３が形成できればよいので、特にその形状にはこだわらないもである。
【符号の説明】
【００２７】
１００    支持脚用固定具
１１０    上側アングル
１１１    上側平坦面
１１２    上側垂直面
１１３    切込溝
１１３Ａ  屈曲部
１２０    下側アングル
１２１    下側平坦面
１２２    下側垂直面
１３０    連結手段
１４０    シート状の粘着素材
５００    支持脚
５１０    軸部
５２０    台座部
【図１】
2015018030.tif 000003
【図２】
2015018030.tif 000004
【図３】
2015018030.tif 000005